(57)【要約】【課題】２つのロール紙を選択的に使用して印刷を行うとともに、１つのオートカッターで印刷物を切断できるロール紙プリンターを提供すること。【解決手段】ロール紙プリンター１は、第１、第２印刷部２１、２２と、第１、第２ロール紙収納部３、４と、第１ロール紙収納部３を開閉する第１カバー５と、第２ロール紙収納部４を開閉する第２カバー６と、第１カバー５と第２カバー６の間に設けられた排紙口７と、第１カバー５に取り付けられたオートカッター１０の固定刃ユニット１１と、第２カバー６に取り付けられた可動刃ユニット１２を備える。第１ロール紙収納部３から排紙口７に至る第１紙搬送経路１５と、第２ロール紙収納部４から排紙口７に至る第２紙搬送経路１６は、排紙口７を経由する区間が共通経路１７となっているので、排紙口７から発行される印刷物を１つのオートカッター１０で切断できる。【選択図】図１
2014184590.tif 000002
【特許請求の範囲】
【請求項１】
ロール紙を収容する第１ロール紙収容部と、
ロール紙を収容する第２ロール紙収容部と、
前記第１ロール紙収容部に収容されたロール紙に印刷を行う第１印刷部と、
前記第２ロール紙収容部に収容されたロール紙に印刷を行う第２印刷部と、
前記第１ロール紙収納部を開閉する第１カバーと、
前記第２ロール紙収納部を開閉する第２カバーと、
前記第１カバーと前記第２カバーとの間に設けられる排紙口と、
前記第１カバーに配設される固定刃及び前記第２カバーに配設される可動刃を有するオートカッターと、
前記第１ロール紙収納部から前記第１印刷部に至る第１紙搬送経路と、
前記第２ロール紙収納部から前記第２印刷部に至る第２紙搬送経路と、
を備えることを特徴とするロール紙プリンター。
【請求項２】
前記第１カバーを開くと、前記第１紙搬送経路が開放され、前記第１カバーを閉じると前記第１紙搬送経路が形成され、
前記第２カバーを開くと前記第２紙搬送経路が開放され、前記第２カバーを閉じると前記第２紙搬送経路が形成される請求項１に記載のロール紙プリンター。
【請求項３】
前記第１印刷部は、第１サーマルヘッド及び前記第１サーマルヘッドに押圧する第１プラテンローラーを有し、
前記第２印刷部は、第２サーマルヘッド及び前記第２サーマルヘッドに押圧する第２プラテンローラーを有し、
前記第１カバーには、前記第１サーマルヘッドまたは前記第１プラテンローラーが配設され、前記第１カバーを開くと前記第１サーマルヘッドと前記第１プラテンローラーとは離間し、前記第１カバーを閉じると前記第１サーマルヘッドに前記第１プラテンローラーが押圧し、
前記第２カバーには、前記第２サーマルヘッドまたは前記第２プラテンローラーが配設され、前記第２カバーを開くと前記第２サーマルヘッドと前記第２プラテンローラーとは離間し、前記第２カバーを閉じると前記第２サーマルヘッドに前記第２プラテンローラーが押圧することを特徴とする請求項２に記載のロール紙プリンター。
【請求項４】
第１の方向及び前記第１の方向と逆方向の第２の方向に回転する搬送モーターと、
前記搬送モーターの前記第１の方向の回転を前記第１プラテンローラーに伝達する第１回転伝達機構と、
前記搬送モーターの前記第２の方向の回転を前記第２プラテンローラーに伝達する第２回転伝達機構と、
前記搬送モーターが前記第１の方向に回転すると、前記第２回転伝達機構の伝達を遮断して前記第１回転伝達機構で回転を伝達し、前記搬送モーターが前記第２の方向に回転すると、前記第２回転伝達機構で回転を伝達し、前記第１回転伝達機構の伝達を遮断する切り替え機構と、
を備える請求項１乃至３のいずれか１項に記載のロール紙プリンター。
【請求項５】
前記第１サーマルヘッド、前記第２サーマルヘッド、前記オートカッター、および前記搬送モーターの駆動を制御する制御部を有する請求項４に記載のロール紙プリンター。
【請求項６】
前記第１ロール紙収納部と前記第２ロール紙収納部とを、鉛直方向に配設する請求項１乃至５のいずれか１項に記載のロール紙プリンター。
【発明の詳細な説明】
【技術分野】
【０００１】
本発明は、オートカッターを備えるロール紙プリンターに関する。
【背景技術】
【０００２】
スーパーマーケットに設けられているセルフ会計カウンターには会計処理をしてレシートを発行するオペレーターがいない。従って、レシート発行用のプリンターに紙切れが発生した場合には、店舗側で迅速に対応することができず、顧客を待たせてしまうことがある。
【０００３】
レシート用紙に大径のロール紙を用いれば、紙切れの頻度を減らすことができるので、紙切れにより顧客を待たすという事態の発生を抑制できる。しかし、大径のロール紙は重く、プリンターへの装填が容易ではないという問題がある。また、セルフ会計カウンターに設置されるプリンターのためにオペレーターが常駐する通常の会計カウンターに設置されているプリンター用とは別のロール紙を用意するとすれば、在庫として２つの規格のロール紙を備える必要があり、その管理が煩雑となるという問題がある。
【０００４】
かかる問題を回避するために、プリンターに２つのロール紙を搭載し、これら２つのロール紙を連続して使用することによって紙切れの頻度を減らすことが考えられる。特許文献１には、２つのロール紙収納部、２つの印刷部、および、２つの排紙口を備えるプリンターが記載されている。同文献では、第１のロール紙収納部に収納された第１のロール紙から繰り出される記録紙は、第１の印刷部を経由して第１の排出口に至る第１の紙搬送経路に沿って搬送される。第２のロール紙収納部に収納された第２のロール紙から繰り出される記録紙は、第２の印刷部を経由して第２の排出口に至る第２の紙搬送経路に沿って搬送される。第１の紙搬送経路と第２の紙搬送経路とは独立している。
【先行技術文献】
【特許文献】
【０００５】
【特許文献１】特開平１０−２３５９４２号公報
【発明の概要】
【発明が解決しようとする課題】
【０００６】
特許文献１のプリンターでは、第１ロール紙を用いて印刷物を発行する場合と、第２のロール紙を用いて印刷物を発行する場合とで、印刷物が異なる排紙口から出力される。従って、特許文献１のプリンターにレシートを切断するオートカッターを搭載する場合には、第１、第２の排紙口のそれぞれにオートカッターを配置しなければならず、装置の製造コストが増加するという問題がある。
【０００７】
本発明の課題は、かかる問題点に鑑みて、２つのロール紙を選択的に使用して印刷を行うとともに、発行される印刷物を１つのオートカッターで切断できるロール紙プリンターを提供することにある。
【課題を解決するための手段】
【０００８】
上記の課題を解決するために、本発明のロール紙プリンターは、
ロール紙を収容する第１ロール紙収容部と、
ロール紙を収容する第２ロール紙収容部と、
前記第１ロール紙収容部に収容されたロール紙に印刷を行う第１印刷部と、
前記第２ロール紙収容部に収容されたロール紙に印刷を行う第２印刷部と、
前記第１ロール紙収納部を開閉する第１カバーと、
前記第２ロール紙収納部を開閉する第２カバーと、
前記第１カバーと前記第２カバーとの間に設けられる排紙口と、
前記第１カバーに配設される固定刃及び前記第２カバーに配設される可動刃を有するオートカッターと、
前記第１ロール紙収納部から前記第１印刷部に至る第１紙搬送経路と、
前記第２ロール紙収納部から前記第２印刷部に至る第２紙搬送経路と、
を備えることを特徴とする。
【０００９】
本発明によれば、第１ロール紙収納部に収納されるロール紙から繰り出される長尺の記録紙が搬送される第１紙搬送経路と、第２ロール紙収納部に収納されるロール紙から繰り出される長尺の記録紙が搬送される第２紙搬送経路とは、排紙口を経由する区間が共通経路となる。また、排紙口を構成する第１カバーと第２カバーにオートカッターの固定刃と可動刃をそれぞれ取り付けている。従って、２つのロール紙のいずれが印刷に使用される場合でも、１つのオートカッターで印刷物を切断できる。また、本発明によれば、第１ロール紙収納部に収容されたロール紙を用いて印刷を行う場合でも、第２ロール紙収納部に収容されたロール紙を用いて印刷を行う場合でも、単一の排紙口から印刷物が発行されるので、使い勝手がよい。
【００１０】
本発明において、前記第１カバーを開くと、前記第１紙搬送経路が開放され、前記第１カバーを閉じると前記第１紙搬送経路が形成され、前記第２カバーを開くと前記第２紙搬送経路が開放され、前記第２カバーを閉じると前記第２紙搬送経路が形成されることが望ましい。このようにすれば、ロール紙から記録紙を引き出した状態とし、カバーを開けてロール紙をロール紙収納部に投入してカバーを閉じれば、記録紙が紙搬送経路に沿って繰り出された状態でロール紙の装填が完了する。
【００１１】
この場合において、前記第１印刷部は、第１サーマルヘッド及び前記第１サーマルヘッドに押圧する第１プラテンローラーを有し、前記第２印刷部は、第２サーマルヘッド及び前記第２サーマルヘッドに押圧する第２プラテンローラーを有し、前記第１カバーには、前記第１サーマルヘッドまたは前記第１プラテンローラーが配設され、前記第１カバーを開くと前記第１サーマルヘッドと前記第１プラテンローラーとは離間し、前記第１カバーを閉じると前記第１サーマルヘッドに前記第１プラテンローラーが押圧し、前記第２カバーには、前記第２サーマルヘッドまたは前記第２プラテンローラーが配設され、前記第２カバーを開くと前記第２サーマルヘッドと前記第２プラテンローラーとは離間し、前記第２カバーを閉じると前記第２サーマルヘッドに前記第２プラテンローラーが押圧することが望ましい。このようにすれば、ロール紙の装填時に、ロール紙から引き出された記録紙をサーマルヘッドとプラテンローラーの間に確実にニップさせることができる。
【００１２】
本発明において、第１の方向及び前記第１の方向と逆方向の第２の方向に回転する搬送モーターと、前記搬送モーターの前記第１の方向の回転を前記第１プラテンローラーに伝達する第１回転伝達機構と、前記搬送モーターの前記第２の方向の回転を前記第２プラテンローラーに伝達する第２回転伝達機構と、前記搬送モーターが前記第１の方向に回転すると、前記第２回転伝達機構の伝達を遮断して前記第１回転伝達機構で回転を伝達し、前記搬送モーターが前記第２の方向に回転すると、前記第２回転伝達機構で回転を伝達し、前記第１回転伝達機構の伝達を遮断する切り替え機構と、を備えることが望ましい。このようにすれば、搬送モーターの回転方向を制御することにより、第１ロール紙収納部に収納されたロール紙と第２ロール紙収納部に収納されたロール紙を選択的に使用できる。
【００１３】
本発明において、前記第１サーマルヘッド、前記第２サーマルヘッド、前記オートカッター、および前記搬送モーターの駆動を制御する制御部を有することが望ましい。このようにすれば、一つの制御部により、第１ロール紙収納部に収納されたロール紙を用いた印刷と、第２ロール紙収納部に収納されたロール紙を用いた印刷を制御できる。
【００１４】
本発明において、前記第１ロール紙収納部と前記第２ロール紙収納部とを、鉛直方向に配設することが望ましい。このようにすれば、２つのロール紙の長さに対応する長さの大径ロールを収納可能なロール紙収納を設ける場合と比較して、ロール紙プリンターの設置面積を抑制できる。
【００１５】
本発明によれば、２つのロール紙を選択的に使用して印刷を行うとともに、１つのオートカッターで印刷物を切断できる。
【図面の簡単な説明】
【００１６】
【図１】本発明を適用したロール紙プリンターの概略縦断面図である。
【図２】第１、第２カバーを開けた状態のロール紙プリンターの概略縦断面図である。
【図３】回転伝達機構の説明図である。
【発明を実施するための形態】
【００１７】
以下に、図面を参照して、本発明を適用したロール紙プリンターを説明する。
【００１８】
図１は本発明を適用したロール紙プリンターの概略断面図である。図２は第１、第２カバーを開けた状態のロール紙プリンターの概略断面図である。本例のロール紙プリンター１は、直方体形状のケース２を備えている。ケース２の内側には、ロール紙１０１、１０２を転動可能に収納する第１ロール紙収納部３および第２ロール紙収納部４が形成されている。第１ロール紙収納部３と第２ロール紙収納部４は鉛直方向に配置されており、第１ロール紙収納部３が第２ロール紙収納部４の鉛直方向の上方に位置している。
【００１９】
ケース２の前面側（図１および図２の右側）には、第１ロール紙収納部３および第２ロール紙収納部４をそれぞれ開閉する第１カバー５および第２カバー６が設けられている。第１カバー５および第２カバー６の内側面は第１ロール紙収納部３にそれぞれ収納される第１、第２ロール紙１０１、１０２の円形外周面に沿って湾曲している。第１カバー５は、ケース２の前側の上端部分に設けられた第１軸Ｌ１回りに回動可能となっている。第１カバー５を開く際には、図１に示す閉じ位置５Ａから、図２に示すように、その下端を前方に向かって上方に移動させる。第２カバー６は、ケース２の前側の下端部分に設けられた第２軸Ｌ２回りに回動可能となっている。第２カバー６を開く際には、図１に示す閉じ位置６Ａから図２に示すように、その上端を前方に向かって下方に移動させる。
【００２０】
第１カバー５および第２カバー６の双方が閉じ位置５Ａに配置されている状態では、図１に示すように、第１カバー５の下端と第２カバー６の上端の間に排紙口７が形成される。第１カバー５の下端には手切り用の第１カッター８が設けられており、第２カバー６の上端には手切り用の第２カッター９が設けられている。第１カバー５の前面の下端部分にはオートカッター１０の固定刃ユニット（固定刃）１１が取り付けられている。第２カバー６の前面の上端部分にはオートカッター１０の可動刃ユニット（可動刃）１２が取り付けられている。第１カバー５および第２カバー６の双方が閉じ位置５Ａに配置されている状態では、固定刃ユニット１１と可動刃ユニット１２は僅かな空間を開けて対峙しており、この空間は排紙口７の前方に位置している。
【００２１】
ケース２内には、第１ロール紙収納部３から排紙口７に至る第１紙搬送経路１５が形成されている。また、第２ロール紙収納部４から排紙口７に至る第２紙搬送経路１６が形成されている。第１紙搬送経路１５と第２紙搬送経路１６は排紙口７の近傍が共通経路１７となっている。第１紙搬送経路１５の途中には第１ロール紙１０１を用いた印刷に用いられる第１印刷部２１が設けられており、第２紙搬送経路１６の途中には第２ロール紙１０２を用いた印刷に用いられる第２印刷部２２が設けられている。第１印刷部２１は第２印刷部２２の上方に位置している。
【００２２】
また、第１紙搬送経路１５および第２紙搬送経路１６のそれぞれにおいて、各印刷部２１、２２と各ロール紙収納部３、４の間には、第１、第２紙端センサー２３、２４が配置されている。第１紙端センサー２３は第１ロール紙収納部３に収納された第１ロール紙１０１の紙切れを検出するものであり、第２紙端センサー２４は第２ロール紙収納部４に収納された第２ロール紙１０２の紙切れを検出するものである。第１、第２紙端センサー２３、２４は、例えば反射型のフォトセンサーである。
【００２３】
第１印刷部２１は、ケース２内における第１ロール紙収納部３と第２ロール紙収納部４の間の中間部位２０に配置された第１サーマルヘッド２５と、第１カバー５の下端部分の内側に取り付けられた第１プラテンローラー２６を備えている。第１プラテンローラー２６は第１サーマルヘッド２５の上側に位置している。第１プラテンローラー２６は、図１中で反時計回りＣＣＷに回転して、第１ロール紙１０１から繰り出される長尺状の第１記録紙１０１ａを第１紙搬送経路１５に沿って搬送する。第２印刷部２２は、中間部位２０に配置された第２サーマルヘッド２７と、第２カバー６の上端部分の内側に取り付けられた第２プラテンローラー２８を備えている。第２プラテンローラー２８は第２サーマルヘッド２７の下側に位置している。第２プラテンローラー２８は、図１中で時計回りＣＷに回転して、第２ロール紙１０２から繰り出される長尺状の第２記録紙１０２ａを第２紙搬送経路１６に沿って搬送する。
【００２４】
中間部位２０には、搬送モーター３０が配置されている。搬送モーター３０と第１プラテンローラー２６および第２プラテンローラー２８の間には、搬送モーター３０の回転を第１プラテンローラー２６および第２プラテンローラー２８に伝達する回転伝達機構３１が構成されている。
【００２５】
また、中間部位２０には、制御部３５が配置されている。制御部３５は、第１サーマルヘッド２５、第２サーマルヘッド２７、オートカッター１０、および搬送モーター３０を駆動制御する。
【００２６】
ここで、第１カバー５を開くと、第１紙搬送経路１５が開放状態となり、第１カバー５を閉じると第１紙搬送経路１５が形成される。より具体的には、第１カバー５を開くと、図２に示すように、第１カバー５とともに第１プラテンローラー２６が移動して、第１サーマルヘッド２５と第１プラテンローラー２６の間が開放状態となる。第１カバー５を閉じると、図１に示すように、第１プラテンローラー２６が元の位置に復帰して、第１プラテンローラー２６が第１サーマルヘッド２５に押し付けられた状態となる。同様に、第２カバー６を開くと、第２紙搬送経路１６が開放状態となり、第２カバー６を閉じると第２紙搬送経路１６が形成される。より具体的には、第２カバー６を開くと、図２に示すように、第２カバー６ともに第２プラテンローラー２８が移動して、第２サーマルヘッド２７と第２プラテンローラー２８の間が開放状態となる。第２カバー６を閉じると、図１に示すように、第２プラテンローラー２８が元の位置に復帰して、第２プラテンローラー２８が第２サーマルヘッド２７に押し付けられた状態となる。従って、ロール紙１０１、１０２から記録紙１０１ａ、１０２ａを引き出した状態として、カバー５、６を開けてロール紙１０１、１０２をロール紙収納部３、４に投入してカバー５、６を閉じれば、記録紙１０１ａ、１０２ａが紙搬送経路１５、１６に沿って繰り出された状態でロール紙１０１、１０２の装填が完了する。また、ロール紙１０１、１０２の装填時に、ロール紙１０１、１０２から引き出された記録紙１０１ａ、１０２ａをサーマルヘッド２５、２７とプラテンローラー２６、２８の間に確実にニップさせることができる。
【００２７】
（回転伝達機構）
図３は回転伝達機構３１の説明図である。図３（ａ）は搬送モーター３０が第１の方向に回転している状態を示し、図３（ｂ）は搬送モーター３０が第１の方向と逆方向の第２の方向に回転している状態を示す。
【００２８】
回転伝達機構３１は、搬送モーター３０の第１の方向の回転を第１プラテンローラー２６に伝達可能な第１回転伝達機構３２と、搬送モーター３０の第２の方向の回転を第２プラテンローラー２８に伝達可能な第２回転伝達機構３３と、を有している。また、回転伝達機構３１は、搬送モーター３０が第１の方向に回転すると、第１駆動力伝達経路Ｆ１を形成して第２駆動力伝達経路Ｆ２を遮断し、搬送モーター３０が第２の方向に回転すると、第１回転伝達機構３２における第１駆動力伝達経路Ｆ１を遮断して第２回転伝達機構３３における第２駆動力伝達経路Ｆ２を形成する経路切り替え機構３４を備えている。
【００２９】
第１回転伝達機構３２は、遊星歯車機構４１と、第１プラテンローラー２６に同軸に取り付けられた第１プラテン歯車４２を備えている。搬送モーター３０の回転を第２プラテンローラー２８に伝達する第２回転伝達機構３３は、遊星歯車機構４１と、第２プラテンローラー２８に同軸に取り付けられた第２プラテン歯車４３を備えている。遊星歯車機構４１は、太陽歯車４４、遊星キャリア４５、遊星歯車４６からなり、太陽歯車４４に搬送モーター３０の回転が伝達される。第１回転伝達機構３２における第１駆動力伝達経路Ｆ１は、太陽歯車４４、遊星歯車４６、第１プラテン歯車４２が噛み合うことにより形成される。第２回転伝達機構３３における第２駆動力伝達経路Ｆ２は、太陽歯車４４、遊星歯車４６、第２プラテン歯車４３が噛み合うことにより形成される。遊星歯車機構４１は中間部位２０に搭載されており、第１プラテン歯車４２と第２プラテン歯車４３は、それぞれ第１カバー５と第２カバー６に搭載されている。
【００３０】
ここで、搬送モーター３０が第１の方向に回転すると、太陽歯車４４が矢印ＣＣＷ方向に回転する。この回転によって、遊星キャリア４５も同一方向に旋回する。これにより、遊星歯車４６が第１プラテン歯車４２に噛み合う。この結果、図３（ａ）に示す状態となり、第１回転伝達機構３２における第１駆動力伝達経路Ｆ１が形成される。一方、搬送モーター３０が第２の方向に回転すると、太陽歯車４４が矢印ＣＷ方向に回転する。この回転によって、遊星キャリア４５も同一方向に旋回する。これにより、遊星歯車４６が第２プラテン歯車４３に噛み合う。この結果、図３（ｂ）に示す状態となり、第２回転伝達機構３３における第２駆動力伝達経路Ｆ２が形成される。すなわち、遊星歯車機構４１は、経路切り替え機構３４を構成している。
【００３１】
（２つのロール紙の連続使用動作）
ここで、スーパーマーケットのセルフ会計カウンターに本例のプリンターを設置した場合の使用例を説明する。ロール紙プリンター１を使用する際には、第１、第２ロール紙収納部３、４にそれぞれロール紙１０１、１０２を装填する。この際に、ロール紙１０１、１０２から記録紙１０１ａ、１０２ａを引き出した状態として、ロール紙収納部３、４に投入すれば、記録紙１０１ａ、１０２ａが紙搬送経路１５、１６に沿って繰り出された状態でロール紙１０１、１０２の装填が完了する。
【００３２】
ロール紙プリンター１に会計データが入力されると、制御部３５は、搬送モーター３０を第１の方向に回転させるとともに、第１サーマルヘッド２５を駆動して会計データを印刷する。また、制御部３５はオートカッター１０を駆動して排紙口７から発行されたレシートを切断する。その後、第１紙端センサー２３によって第１ロール紙収納部３におけるロール紙１０１の紙切れが検出されるまでは、第１サーマルヘッド２５による第１ロール紙１０１を用いたレシートの発行が繰り返される。
【００３３】
第１紙端センサー２３により紙切れが検出され、その後に、ロール紙プリンター１に会計データが入力されると、制御部３５は、搬送モーター３０を第２の方向に回転させるとともに、第２サーマルヘッド２７を駆動して当該会計データを印刷する。また、制御部３５は、オートカッター１０を駆動して排紙口７から発行されたレシートを切断する。ここで、第２紙端センサー２４により紙切れが検出されるまでは、第２サーマルヘッド２７による第２ロール紙１０２を用いたレシートの発行が繰り返される。
【００３４】
本例によれば、２つのロール紙１０１、１０２を連続して使用することにより紙切れの頻度を減らすことができるので、紙切れによるレシートの発行不能によって顧客を待たすという事態の発生を抑制できる。また、本例では、２つのロール紙１０１、１０２のいずれを使用した場合でも同一の排紙口７からレシートが発行され、排紙口７の位置が変化することがないので、使い勝手が良く、顧客の利便性を損ねてしまうことがない。
【００３５】
なお、紙切れとなった第１ロール紙収納部３および第２ロール紙収納部４への新たなロール紙１０１の装填は、いつでも行うことができる。
【００３６】
（作用効果）
本例によれば、２つのロール紙１０１、１０２のいずれが印刷に使用される場合でも、１つのオートカッター１０で印刷物を切断できる。また、一つの制御部３５により、第１ロール紙収納部３に収納されたロール紙１０１を用いた印刷と、第２ロール紙収納部４に収納されたロール紙１０２を用いた印刷を制御できる。さらに、搬送モーター３０の回転方向を制御することにより、第１ロール紙収納部３に収納されたロール紙１０１と第２ロール紙収納部４に収納されたロール紙１０２を選択的に使用できる。
【００３７】
また、第１ロール紙収納部３と第２ロール紙収納部４を鉛直方向に配置したので、２つのロール紙１０１、１０２の長さに対応する長さの大径ロールを収納可能なロール紙収納部を設ける場合と比較して、ロール紙プリンター１の設置面積を抑制できる。
【００３８】
さらに、本例では、第１ロール紙収納部３に装填された第１ロール紙１０１から繰り出された記録紙１０１ａへの印刷が第１ロール紙１０１の外周面となる外面に施され、第２ロール紙収納部４に装填された第２ロール紙１０２から繰り出された記録紙１０２ａへの印刷が第２ロール紙１０２の内周側面となる内面に施される。従って、記録紙１０１ａ、１０２ａの外面と内面を区別することが可能なロール紙１０１、１０２を用いれば、第１ロール紙１０１と第２ロール紙１０２のどちらが使用されている状態であるかを目視により判断することができる。また、目視による判断に基づいて、第１ロール紙収納部３および第２ロール紙収納部４のうちのいずれが紙切れになったかを把握して、新たなロール紙を装填できる。
【００３９】
なお、上記の例では、２つのロール紙１０１、１０２を連続使用する例を説明しているが、２つのロール紙１０１、１０２のうちのいずれか一方を任意に選択して印刷に用いてもよい。例えば、ロール紙プリンター１に会計データが入力される毎に、ロール紙１０１、１０２を交互に用いてレシートを発行してもよい。
【００４０】
また、上記の例では、第１ロール紙収納部３と第２ロール紙収納部４に同一のロール紙１０１、１０２を装填しているが、例えば、色の異なるロール紙１０１、１０２を装填しておき、印刷の用途に合わせて、２つのロール紙１０１、１０２の一方を任意に選択して印刷を行うこともできる。
【符号の説明】
【００４１】
１・・ロール紙プリンター、２・・ケース、３・・第１ロール紙収納部、４・・第２ロール紙収納部、５・・第１カバー、５Ａ・・第１カバーの閉じ位置、６・・第２カバー、６Ａ・・第２カバーの位置、７・・排紙口、８・・第１カッター、９・・第２カッター、１０・・オートカッター、１１・・固定刃ユニット、１２・・可動刃ユニット、１５・・第１紙搬送経路、１６・・第２紙搬送経路、１７・・共通経路、２０・・中間部位、２１・・第１印刷部、２２・・第２印刷部、２３・・第１紙端センサー、２４・・第２紙端センサー、２５・・第１サーマルヘッド、２６・・第１プラテンローラー、２７・・第２サーマルヘッド、２８・・第２プラテンローラー、３０・・搬送モーター、３１・・回転伝達機構、３２・・第１回転伝達機構、３３・・第２回転伝達機構、３４・・経路切り替え機構、３５・・制御部、４１・・遊星歯車機構、４２・・第１プラテン歯車、４３・・第２プラテン歯車、４４・・太陽歯車、４５・・遊星キャリア、４６・・遊星歯車、１０１・・第１ロール紙、１０１ａ・・第１ロール紙の記録紙、１０２・・第２ロール紙、１０２ａ・・第２ロール紙の記録紙、Ｆ１・・第１駆動力伝達経路、Ｆ２・・第２駆動力伝達経路、Ｌ１・・第１軸、Ｌ２・・第２軸
【図１】
2014184590.tif 000003
【図２】
2014184590.tif 000004
【図３】
2014184590.tif 000005